【手続補正書】
【提出日】平成18年12月11日(2006.12.11)
【手続補正１】
【補正対象書類名】明細書
【補正対象項目名】発明の名称
【補正方法】変更
【補正の内容】
【発明の名称】印刷制御装置及び方法と情報処理装置及び方法
【手続補正２】
【補正対象書類名】明細書
【補正対象項目名】特許請求の範囲
【補正方法】変更
【補正の内容】
【特許請求の範囲】
【請求項１】
印刷ジョブに関する印刷ジョブ情報を生成する印刷制御装置であって、
印刷すべきデータを基に、指定された印刷設定に応じて印刷ジョブ情報を生成する生成手段と、
前記印刷ジョブのうち、前記印刷設定の内容が共通する部分について、印刷される枚数を計数する計数手段と
を備えることを特徴とする印刷制御装置。
【請求項２】
前記印刷設定は、両面の指定、片面の指定、用紙サイズの指定、用紙タイプの指定、複数ページを１枚に印刷した場合の１枚に印刷されるページ数の指定、部数の指定、カラー印刷の指定、モノクロ印刷の指定のうちの少なくとも１つを含むことを特徴とする請求項１に記載の印刷制御装置。
【請求項３】
前記計数手段により計数された枚数を示す枚数情報を、計数サーバに送信する送信手段を更に備えることを特徴とする請求項１或いは２に記載の印刷制御装置。
【請求項４】
印刷ジョブに関する印刷ジョブ情報を生成する印刷制御装置であって、
印刷すべきデータを基に、前記印刷ジョブにおける複数のブロックごとの印刷設定を示す印刷ジョブ情報を生成する生成手段と、
前記印刷ジョブにおける複数のブロックごとの印刷される枚数を計数する計数手段とを備え、
前記印刷ジョブにおける複数のブロックのそれぞれは、前記印刷ジョブにおいて印刷設定の内容が共通する部分であることを特徴とする印刷制御装置。
【請求項５】
印刷ジョブに関する印刷ジョブ情報を生成する印刷制御方法であって、
印刷すべきデータを基に、指定された印刷設定に応じて印刷ジョブ情報を生成する生成工程と、
前記印刷ジョブのうち、前記印刷設定が共通する部分について、印刷される枚数を計数する計数工程と
を備えることを特徴とする印刷制御方法。
【請求項６】
前記印刷設定は、両面の指定、片面の指定、用紙サイズの指定、用紙タイプの指定、複数ページを１枚に印刷した場合の１枚に印刷されるページ数の指定、部数の指定、カラー印刷の指定、モノクロ印刷の指定のうちの少なくとも１つの情報を含むことを特徴とする請求項５に記載の印刷制御方法。
【請求項７】
前記計数工程により計数された枚数を示す枚数情報を、計数サーバに送信する送信工程を更に備えることを特徴とする請求項５或いは６に記載の印刷制御方法。
【請求項８】
請求項６乃至７のいずれか１項に記載の印刷制御方法をコンピュータにより実施するためのコンピュータプログラムを格納したことを特徴とするコンピュータ可読の記憶媒体。
【請求項９】
情報処理装置であって、
印刷すべきデータを基に、指定された印刷設定に応じて印刷ジョブを生成する生成手段と、
前記印刷ジョブのうち、前記印刷設定の内容が共通するブロックごとに、印刷される枚数を計数する計数手段と
を有することを特徴とする情報処理装置。
【請求項１０】
前記ブロックごとの前記印刷設定の内容と印刷される枚数とを外部装置に送信する送信手段を更に有することを特徴とする請求項９に記載の情報処理装置。
【請求項１１】
前記印刷設定は、片面の設定、両面の設定、用紙サイズの設定、用紙タイプの設定、カラー印刷の設定、モノクロ印刷の設定、部数の設定、用紙一枚ごとに印刷されるページ数の設定のいずれかであることを特徴とする請求項９或いは１０に記載の情報処理装置。
【請求項１２】
前記計数手段による計数をするしないを設定する設定手段を有することを特徴とする請求項９乃至１１のいずれか１項に記載の情報処理装置。
【請求項１３】
情報処理装置であって、
印刷すべきデータを基に印刷ジョブを生成する生成手段と、
前記印刷ジョブにおいて印刷設定の内容が変化したかどうかを判断する判断手段と、
前記印刷ジョブにおける複数のブロックごとの印刷される枚数を計数する計数手段とを備え、
前記印刷ジョブにおける複数のブロックのそれぞれは、前記印刷ジョブにおいて印刷設定の内容が共通する部分であることを特徴とする印刷制御装置。
【請求項１４】
情報処理装置で行われる情報処理方法であって、
印刷すべきデータを基に、指定された印刷設定に応じて印刷ジョブを生成する生成ステップと、
前記印刷ジョブのうち、前記印刷設定の内容が共通するブロックごとに、印刷される枚数を計数する計数ステップと
を有することを特徴とする情報処理方法。
【請求項１５】
前記ブロックごとの前記印刷設定の内容と印刷される数とを外部装置に送信する送信ステップを更に有することを特徴とする請求項１４に記載の情報処理方法。
【請求項１６】
前記印刷設定は、片面の設定、両面の設定、用紙サイズの設定、用紙タイプの設定、カラー印刷の設定、モノクロ印刷の設定、部数の設定、用紙一枚ごとに印刷されるページ数の設定のいずれかであることを特徴とする請求項１４或いは１５に記載の情報処理方法。
【請求項１７】
前記計数ステップによる計数をするしないを設定する設定ステップを更に有することを特徴とする請求項１４乃至１６のいずれか１項に記載の情報処理方法。
【請求項１８】
請求項１４乃至１７のいずれか１項に記載の情報処理方法をコンピュータにより実施するためのコンピュータプログラムを格納したことを特徴とするコンピュータにより読取り可能な記録媒体。
【手続補正３】
【補正対象書類名】明細書
【補正対象項目名】０００７
【補正方法】変更
【補正の内容】
【０００７】
印刷ジョブに関する印刷ジョブ情報を生成する印刷制御装置であって、
印刷すべきデータを基に、指定された印刷設定に応じて印刷ジョブ情報を生成する生成手段と、
前記印刷ジョブのうち、前記印刷設定の内容が共通する部分について、印刷される枚数を計数する計数手段とを備える。
【手続補正４】
【補正対象書類名】明細書
【補正対象項目名】０００８
【補正方法】変更
【補正の内容】
【０００８】
あるいは、印刷ジョブに関する印刷ジョブ情報を生成する印刷制御装置であって、
印刷すべきデータを基に、前記印刷ジョブにおける複数のブロックごとの印刷設定を示す印刷ジョブ情報を生成する生成手段と、
前記印刷ジョブにおける複数のブロックごとの印刷される枚数を計数する計数手段とを備え、
前記印刷ジョブにおける複数のブロックのそれぞれは、前記印刷ジョブにおいて印刷設定の内容が共通する部分である。
【手続補正５】
【補正対象書類名】明細書
【補正対象項目名】０００９
【補正方法】変更
【補正の内容】
【０００９】
あるいは、情報処理装置であって、
印刷すべきデータを基に、指定された印刷設定に応じて印刷ジョブを生成する生成手段と、
前記印刷ジョブのうち、前記印刷設定の内容が共通するブロックごとに、印刷される枚数を計数する計数手段とを有する。
【手続補正６】
【補正対象書類名】明細書
【補正対象項目名】００１０
【補正方法】変更
【補正の内容】
【００１０】
あるいは、情報処理装置であって、
印刷すべきデータを基に印刷ジョブを生成する生成手段と、
前記印刷ジョブにおいて印刷設定の内容が変化したかどうかを判断する判断手段と、
前記印刷ジョブにおける複数のブロックごとの印刷される枚数を計数する計数手段とを備え、
前記印刷ジョブにおける複数のブロックのそれぞれは、前記印刷ジョブにおいて印刷設定の内容が共通する部分である。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】